(57)【要約】【課題】  杭を利用してブロックを固定する際に、杭の打込み加減で固定強度に差が生じないようにする。【解決手段】  ブロック１，２に挿通された杭３を利用してブロック１，２を設置面Ｅに固定する。杭３は、頭部付近にネジ部３ｂが設けられている。杭３のネジ部３ｂに螺合されるナット５の回動で押金具４を上段のブロック２に締付ける。押金具４は、杭３のネジ部３ｂの外径よりも大きな内径を有している。押金具４は、上段のブロック２への当接面がナット５への当接面よりも広く形成されている。押金具４が上段のブロック２を締付けることでブロック１，２が設置面Ｅに固定される。【選択図】図１
2012107484.tif 000002
【特許請求の範囲】
【請求項１】
ブロックに挿通された杭を利用してブロックを設置面に固定するブロック設置構造において、杭は頭部付近にネジ部が設けられ、杭のネジ部に螺合されるナットの回動でネジ部の外径よりも大きな内径を有する押金具をブロックに締付けることでブロックを設置面に固定することを特徴とするブロック設置構造。
【請求項２】
請求項１のブロック設置構造において、押金具はブロックへの当接面がナットへの当接面よりも広く形成されていることを特徴とするブロック設置構造。
【発明の詳細な説明】
【技術分野】
【０００１】  本発明は、ブロック設置構造に係る技術分野に属する。
【背景技術】
【０００２】  従来、ブロック設置構造としては、例えば、特許文献１に記載のものが知られている。【０００３】  特許文献１には、ブロックに形成された杭挿通孔に杭を挿通させ、杭を打込んでブロックを設置面に固定するブロック設置構造が記載されている。
【先行技術文献】
【特許文献】
【０００４】
【特許文献１】  特開２００７−７０８５２号公報
【発明の概要】
【発明が解決しようとする課題】
【０００５】  特許文献１に係るブロック設置構造では、打込まれた杭の頭部でブロックを設置面に加圧して固定するため、杭の打込み加減でブロックの固定強度に差が生じてしまうという問題点がある。【０００６】  本発明は、このような問題点を考慮してなされたもので、杭を利用してブロックを固定する際に杭の打込み加減で固定強度に差が生じないようにしたブロック設置構造を提供することを課題とする。
【課題を解決するための手段】
【０００７】  前述の課題を解決するため、本発明に係るブロック設置構造は、特許請求の範囲の各請求項に記載の手段を採用する。【０００８】  即ち、請求項１では、ブロックに挿通された杭を利用してブロックを設置面に固定するブロック設置構造において、杭は頭部付近にネジ部が設けられ、杭のネジ部に螺合されるナットの回動でネジ部の外径よりも大きな内径を有する押金具をブロックに締付けることでブロックを設置面に固定することを特徴とする。【０００９】  この手段では、杭の頭部により単なる加圧ではなくナット，押金具でブロックを締付けることで設置面に固定し、押金具の内径の大きさから杭のネジ部に対して姿勢に可変性がもたらされブロックに確実に当接されることから、杭の打込みの後にブロックが確実に設置面に固定させることができる。【００１０】  また、請求項２では、請求項１のブロック設置構造において、押金具はブロックへの当接面がナットへの当接面よりも広く形成されていることを特徴とする。【００１１】  この手段では、押金具の面積がナット側，ブロック側で相違することで、ナットの締付力が押金具に集中され押金具の締付力が拡張された面でブロックに掛けられる。
【発明の効果】
【００１２】  本発明に係るブロック設置構造は、杭の頭部により単なる加圧ではなくナット，押金具でブロックを締付けることで設置面に固定し、押金具の内径の大きさから杭のネジ部に対して姿勢に可変性がもたらされブロックに確実に当接されることから、杭の打込みの後にブロックが確実に設置面に固定させることができるため、杭を利用してブロックを固定する際に杭の打込み加減でブロックの固定強度に差が生じることがなくなる効果がある。【００１３】  さらに、請求項２として、押金具の面積がナット側，ブロック側で相違することで、ナットの締付力が押金具に集中され押金具の締付力が拡張された面でブロックに掛けられるため、ブロックに対してナット，押金具の締付力が効率的に作用する。
【図面の簡単な説明】
【００１４】
【図１】  本発明に係るブロック設置構造を実施するための形態の断面図である。
【発明を実施するための形態】
【００１５】  以下、本発明に係るブロック設置構造を実施するための形態を図面に基づいて説明する。
【００１６】  この形態では、土嚢の代用として仮設施工に好適なものを示してある。
【００１７】  この形態は、ブロック１，２，杭３，押金具４，ナット５で構成される。
【００１８】  ブロック１，２は、伏コ字形に形成されて２段に積層されている。このブロック１，２は、合成樹脂材，コンクリート等の材料で中空構造，中実構造に形成され、中空構造の場合には、必要に応じて内部に補強リブが設けられ、必要に応じて杭３の挿通孔が上下端面に貫通するように形成される。中実構造の場合には、杭３の挿通孔が上下端面に貫通するように形成される。
【００１９】  杭３は、鋼材等で柱状，パイプ状に形成され、先端部３ａが先鋭構造を呈し頭部寄りに雄のネジ部３ｂが設けられている。
【００２０】  押金具４は、上段のブロック２への当接面がナット５への当接面よりも広く形成された段付ワッシャからなる。この押金具４は、内径が杭３のネジ部３ｂの外径よりも大きく形成されている。
【００２１】  ナット５は、杭３のネジ部３ｂに螺合されるもので、外周面から手指を掛けるピンが突出されている。
【００２２】  この形態を施工するには、設置面Ｅにブロック１，２を積層した後、ブロック１，２を貫通するようにして設置面Ｅに杭３を打込むことになる。
【００２３】  この後、杭３の頭部から押金具４を遊嵌させ、続いて杭３のネジ部３ｂにナット５を螺合させることになる。
【００２４】  そして、ナット５を回動降下させると、押金具４がブロック２に締付けられ、上段のブロック２が下段のブロック１に押付けられ、下段のブロック１が設置面Ｅに押付けられる。
この結果、ブロック１，２が設置面Ｅに固定される。
【００２５】  従って、特許文献１に係るブロック設置構造のように、杭３の打込み加減でブロック１，２の固定強度に差が生じることがなくなる。
【００２６】  なお、押金具４の内径の大きさから、押金具４に杭３のネジ部３ｂに対して姿勢に可変性がもたらされる。この結果、押金具４が上段のブロック２に正対されて確実に当接されることから、上段のブロック２を無用に傷付け損傷することなくブロック１，２を確実に設置面Ｅに固定させることができる。
【００２７】  また、押金具４の面積がナット５側，上段のブロック２側で相違することで、ナット５の締付力が押金具４に集中され、押金具４の締付力が拡張された面で上段のブロック２に掛けられる。この結果、ブロック１，２に対してナット５，押金具４の締付力が効率的に作用して、ブロック１，２が確実に設置面Ｅに固定される。
【００２８】  この形態が施工されると、河川から溢れた水Ｗを確実に止水することができる。
【００２９】  さらに、この形態では、杭３にネジ部３ｂが設けられているため、杭３の上方にパイプ等を接続延長させることもできる。
【産業上の利用可能性】
【００３０】  本発明に係るブロック設置構造は、土嚢の代用以外の広範な用途に供することが可能である。
【符号の説明】
【００３１】１，２        ブロック
３            杭
４            押金具
５            ナット
Ｅ            設置面
【図１】
2012107484.tif 000003